(57)【要約】      （修正有）【課題】乗降口を通ってエレベータに乗降する者の移動介助を、簡単な構成によって確実に行い得るようにしたエレベータの乗降口用手摺装置を提供する。【解決手段】通路３に面する建屋壁１７に設けられたエレベータ用の乗降口１の左右の側壁面を、該乗降口１の開口幅を該乗降口１の奥側から手前側に向かって拡大させるような傾斜面又は湾曲面とし、該左右の側壁面の少なくとも何れか一方に、該側壁面の幅方向の略中央部に凹入状態で手摺体を設ける。係る構成によれば、手摺体が、通路３側の手摺とエレベータ５側の手摺との中間に位置してこれら両者間の橋渡し的な手摺として機能することから、該手摺体を把持することで、乗降口１を通ってのエレベータ５への乗降を安全に行うことができ、特に高齢者の使用に際してはその効果が顕著である。【選択図】図１
2010265047.tif 000002
【特許請求の範囲】
【請求項１】
通路（３）に面する建屋壁（１７）に設けられたエレベータ用の乗降口（１）の左右の側壁面（１ａ）、（１ａ）を、該乗降口（１）の開口幅を該乗降口１の奥側から手前側に向かって拡大させるような傾斜面又は湾曲面とし、
該左右の側壁面（１ａ）、（１ａ）の少なくとも何れか一方に、該側壁面（１ａ）の幅方向の略中央部に凹入状態で手摺体（２１）を設けたことを特徴とするエレベータの乗降口用手摺装置。
【請求項２】
請求項１において、
上記手摺体（２１）が、上記側壁面（１ａ）に凹入配置された深皿状形体の取付基部（２２）内に取付けられていることを特徴とするエレベータの乗降口用手摺装置。
【請求項３】
請求項１又は２において、
上記手摺体（２１）が、上下方向又は水平方向に延設されていることを特徴とするエレベータの乗降口用手摺装置。
【請求項４】
請求項１、２又は３において、
上記乗降口（１）の上記側壁面（１ａ）が、上記建屋壁（１７）によって、又は該建屋壁（１７）に付設される付設材（２５）によって、構成されていることを特徴とするエレベータの乗降口用手摺装置。
【発明の詳細な説明】
【技術分野】
【０００１】
本願発明は、建屋側に設けられたエレベータの乗降口に備えられる乗降口用の手摺装置に関するものである。
【背景技術】
【０００２】
近年、高齢者社会の到来に対応して、高齢者がエレベータを使用する場合において、その乗降を介助して安全な乗降動作を担保するための手摺装置に関する技術が提案されている（例えば、特許文献１、特許文献２参照）。
【０００３】
特許文献１に示される手摺装置は、建屋側に設けられるエレベータ用の乗降口が建屋側壁面から深い位置に設けられた構造のものを対象とし、且つ車椅子で乗降する者の利便性に供することを目的とし、建屋側壁面に取付けられた手摺を、上記乗降口の側壁を通って乗降口の前端近傍まで延長させ、これによって車椅子に乗った者が建屋側から乗降口の前端近傍まで手摺を伝って移動できるようにしたものである。
【０００４】
この場合、この手摺装置では、上記乗降口の側壁部分を乗降口から垂直方向に延びる平面又は外方に向かって拡開変化する湾曲面とするとともに、この側壁部分に水平方向へ延びる凹溝を設け、この凹溝内に手摺を配置している。
【０００５】
特許文献２に示される手摺装置は、建屋壁面に開口形成された乗降口の外側端部に上下方向へ延びる入隅部を形成し、この入隅部の中に手摺を取付けたものであって、該手摺を利用者が手で把持することで利用者の存在を検知し、エレベータ戸の開戸時間を長く設定し、これによって特に利用者が高齢者であるような場合における乗降時の安心感を与えるようにしたものである。
【先行技術文献】
【特許文献】
【０００６】
【特許文献１】特開平９−３２８２７６号公報
【特許文献２】特開２００８−１９５４６０号公報
【発明の概要】
【発明が解決しようとする課題】
【０００７】
ところで、建屋側に設けられるエレベータの乗降口の左右側壁は、該乗降口への進入及び退出に伴う人の移動を容易とする等の観点から、上記乗降口の奥側から手前側へ向かうに伴って開口幅を拡大させるような傾斜面又は湾曲面とされる傾向にある。
【０００８】
一方、エレベータの利用者が高齢者等の足腰に不安のある者である場合、利用者は手摺を伝って安全にエレベータに乗降したいと考えるのが通例である。この場合、一般に、建屋内のエレベータに至る通路の壁面には手摺が設けられており、またエレベータのゴンドラ内にも手摺が設けられているが、上記乗降口の側壁には、上掲の特許文献１に示されるように車椅子使用者を対象とする場合の他には、通常、手摺は備えられていない（特許文献２に示される例は、人の存在を感知させることを主目的とした手摺であって、歩行介助を目的とするものではない）。
【０００９】
これは、この乗降口の側壁部分における移動方向の長さは短く、建屋壁面側の手摺と、エレベータのゴンドラ内の手摺があれば十分と判断されたものと考えられる。
【００１０】
しかし、上記ゴンドラ内の手摺は、ゴンドラの出入口を入ってその側方に設けられており、該出入口に入ると同時にこれを把持することはできない。このため、例え乗降口の側壁部分の距離が短くても、建屋壁面側の手摺から直ちにゴンドラ内部の手摺に移動すること（この逆も同じ）は困難で、特に高齢者にとってはこの間での転倒ということも考えられ、深刻な問題となる。
【００１１】
ここで、このような問題に対処すべく、特許文献１とか特許文献２に示された手摺を適用することも考えられる。
【００１２】
しかし、特許文献１に示された手摺装置は、上述のように、乗降口の前端が通路から深く入った位置に設定された構造のものにおいて、車椅子でのエレベータへの乗降時の介助を目的としたもので、上記乗降口の側壁部分に水平方向に凹溝を設け、ここに通路側から連続する手摺を延長配置したものであるため、乗降口の側壁の幅が比較的小さい一般的な構造のエレベータ乗降口には適用しにくく、仮に適用したとしても、構造が大掛かりで設置コストに対応した効果は得難いものとなる。
【００１３】
また、特許文献２に示される手摺装置は、手摺を把持することで人の存在を感知させるためのものであって、エレベータに乗ろうとする人が乗降口部分に立ち止まった状態で手摺を把持すればよく、そのため乗降口の前に立ち止まったままで最も把持し易い部位、即ち、乗降口の側壁と通路壁面との隅部に手摺を配置したものである。従って、この手摺は建屋壁面側の手摺からは近いものの、エレベータのゴンドラ内の手摺からは遠く、このため、この手摺を建屋壁面側の手摺からエレベータのゴンドラ内の手摺への橋渡しのための手摺として適用しても、十分な効果は期待できないものであり、特に、乗降口の左右側壁が、該乗降口の開口幅をその奥側から手前側へ向けて拡大するような傾斜面とか湾曲面とされている場合には尚更である。
【００１４】
そこで本願発明は、主として歩行によって乗降口を通ってエレベータに乗降する者の移動介助を、簡単な構成によって確実に行い得るようにしたエレベータの乗降口用手摺装置を提供することを目的としてなされたものである。
【課題を解決するための手段】
【００１５】
本願発明ではかかる課題を解決するための具体的手段として次のような構成を採用している。
【００１６】
本願の第１の発明に係るエレベータの乗降口用手摺装置は、通路３に面する建屋壁１７に設けられたエレベータ用の乗降口１の左右の側壁面１ａ、１ａを、該乗降口１の開口幅を該乗降口１の奥側から手前側に向かって拡大させるような傾斜面又は湾曲面とし、該左右の側壁面１ａ、１ａの少なくとも何れか一方に、該側壁面１ａの幅方向の略中央部に凹入状態で手摺体２１を設けたことを特徴としている。
【００１７】
本願の第２の発明では、上記第１の発明に係るエレベータの乗降口用手摺装置において、上記手摺体２１を、上記側壁面１ａに凹入配置された深皿状形体の取付基部２２内に取付けたことを特徴としている。
【００１８】
本願の第３の発明では、上記第１又は第２の発明に係るエレベータの乗降口用手摺装置において、上記手摺体２１を、上下方向又は水平方向に延設したことを特徴としている。
【００１９】
本願の第４の発明では、上記第１、第２又はｄ３の発明に係るエレベータの乗降口用手摺装置において、上記乗降口１の上記側壁面１ａを、上記建屋壁１７によって、又は該建屋壁１７に付設される付設材２５によって、構成したことを特徴としている。
【発明の効果】
【００２０】
本願発明では次のような効果が得られる。
（ａ）本願の第１の発明に係るエレベータの乗降口用手摺装置によれば、通路３に面する建屋壁１７に設けられたエレベータ用の乗降口１の左右の側壁面１ａ、１ａを、該乗降口１の開口幅を該乗降口１の奥側から手前側に向かって拡大させるような傾斜面又は湾曲面とし、該左右の側壁面１ａ、１ａの少なくとも何れか一方に、該側壁面１ａの幅方向の略中央部に凹入状態で手摺体２１を設けた構成としているので、上記通路３とエレベータの間を、上記乗降口１を通って人が歩行移動する場合、該手摺体２１が、上記通路３側に設けられた手摺とエレベータ５側に設けられた手摺との中間に位置してこれら両者間の橋渡し的な手摺として機能し、上記人は上記乗降口１を通って上記エレベータ５への乗降を安全に行うことができ、特に高齢者の使用に際してはその効果が顕著なものとなる。
【００２１】
さらに、上記手摺体２１が上記側壁面１ａに凹入状態で設けられているので、該手摺体２１の存在によって上記乗降口１の通路幅が狭められることがなく（換言すれば、上記側壁面１ａを傾斜面又は湾曲面として上記乗降口１の通行の容易化を図った効果が減殺されることがなく）、また上記手摺体２１がこれを使用しない人の邪魔になることもなく、上記乗降口１の機能が適正に維持される。
（ｂ）本願の第２の発明に係るエレベータの乗降口用手摺装置によれば、上記（ａ）に記載の効果に加えて以下のような特有の効果が得られる。即ち、この発明では、上記手摺体２１を、上記側壁面１ａに凹入配置された深皿状形体の取付基部２２内に取付けているので、上記取付基部２２の内部空間によって上記手摺体２１の把持スペースが確保され、該手摺体２１の確実な把持によって該手摺体２１の手摺機能が確保され、延いては上記手摺体２１を使用しての歩行の安全性が担保される。
【００２２】
また、上記手摺体２１を、上記取付基部２２を介して取付ける構成であることから、この手摺体２１を備えた手摺装置を上記乗降口１の形成時のみならず、該乗降口１の形成後に事後的に取付けることも可能であり、その適用範囲の拡大が期待できる。
（ｃ）本願の第３の発明に係るエレベータの乗降口用手摺装置によれば、上記（ａ）又は（ｂ）に記載の効果に加えて以下のような特有の効果が得られる。即ち、この発明では、上記手摺体２１を、上下方向又は水平方向に延設しているので、例えば、上記手摺体２１を上下方向に延設した構成では、該手摺体２１を使用者の身長の大小に拘わらず的確に把持することができ、また上記手摺体２１を水平方向に延設した場合には、該手摺体２１に対する把持力の大小に拘わらず該手摺体２１に体重を預けることができ、これら何れの場合においても、手摺体２１を使用しての歩行移動時の安全性が確保される。
（ｄ）本願の第４の発明に係るエレベータの乗降口用手摺装置によれば、上記（ａ）、（ｂ）又は（ｃ）に記載の効果に加えて以下のような特有の効果が得られる。即ち、この発明では、上記乗降口１の上記側壁面１ａを、上記建屋壁１７によって、又は該建屋壁１７に付設される付設材２５によって、構成しているので、例えば、上記側壁面１ａを上記建屋壁１７によって構成した場合には、該建屋壁１７のコンクリート打設時に上記手摺体２１を埋設配置することで該手摺体２１を上記建屋壁１７に取付けることができ、その取付け作業が簡単であり、低コスト化が期待できる。また、上記側壁面１ａを建屋壁１７に付設される付設材２５によって構成した場合には、上記付設材２５への上記手摺体２１の取付けを、上記建屋壁１７の建設作業と切り離して、建屋の建設後におけるエレベータの設置作業に合わせて行うことができ、作業管理が容易となる。
【図面の簡単な説明】
【００２３】
【図１】本願発明の第１の実施形態に係る乗降口用手摺装置を備えたエレベータ装置全体の横断面図である。
【図２】図１のＡ部分の拡大斜視図である。
【図３】図１のＡ部分の拡大図である。
【図４】本願発明の第２の実施形態に係る乗降口用手摺装置を備えたエレベータ装置全体の横断面図である。
【図５】図４のＢ部分の拡大斜視図である。
【図６】図４のＢ部分の拡大図である。
【図７】本願発明の第３の実施形態に係る手摺装置の要部断面図である。
【発明を実施するための形態】
【００２４】
以下、本願発明を好適な実施形態に基づいて具体的に説明する。
【００２５】
Ｉ：第１の実施形態
図１には、本願発明の第１の実施形態に係る乗降口用手摺装置を構成する手摺ユニット２０を備えたエレベータ装置５を示している。このエレベータ装置５は、建屋２内に設けられた昇降室４内を昇降駆動される矩形箱状のゴンドラ６を備える。
【００２６】
上記ゴンドラ６は、その前面に出入口８が設けられるとともに、該出入口８には中央開閉式の内側ドア９が備えられている。また、このゴンドラ６の内室７には、上記出入口８を挟んだ左右両側にはそれぞれ前面手摺１１が設けられるとともに、左右の壁面にはそれぞれ側面手摺１２が設けられている。
【００２７】
一方、上記ゴンドラ６の上記出入口８は、建屋壁１７に開口形成された乗降口１に対向し、該乗降口１を通して、上記ゴンドラ６の内室７と上記建屋壁１７の外側に設けられた通路３とが連通し得るようになっている。そして、上記乗降口１の上記昇降室４側の面には、該乗降口１を開閉する中央開閉式の外側ドア１０が備えられている。
【００２８】
また、上記乗降口１の左右の側壁面１ａ、１ａは、図２及び図３にも示すように、上記建屋壁１７の端面１７ａで構成され、上記乗降口１の開口幅をその奥側（上記昇降室４側）から手前側（上記通路３側）に向かって拡大させるような傾斜面に形成されている。そして、この乗降口１の左右の側壁面１ａ、１ａにそれぞれ次述の手摺ユニット２０が備えられている。
【００２９】
なお、上記建屋壁１７の上記通路３側の壁面には、通路用手摺１３が所定高さで略水平に配置されており、その端部は上記乗降口１の近傍に位置している。
【００３０】
上記手摺ユニット２０は、上記乗降口１を通って上記エレベータ装置５のゴンドラ６に乗降する人の歩行を介助する「乗降口用手摺装置」を構成するものであって、図２及び図３に示すように、金属製又は樹脂製の矩形深皿状の取付基部２２と、該取付基部２２内に取付けられた手摺体２１で構成される。ここで、上記手摺体２１は、上記取付基部２２に対して、その長辺の略中央部分において、その軸心を短辺方向へ向けた姿勢で取付けられている。この場合、上記手摺体２１の周囲には、該手摺体２１を容易に把持できるような空間が確保されていることは言うまでも無い。
【００３１】
そして、この手摺ユニット２０は、上記建屋壁１７の端面１７ａで構成される上記乗降口１の側壁面１ａの幅方向の略中央部で、且つ所定高さ位置（具体的には、上記通路用手摺１３の取付高さに対応する高さ位置）に、その長辺方向を上下方向へ向けて埋設固定されている。従って、上記手摺体２１は略水平方向へ延設されることになる。
【００３２】
このように、上記乗降口１の側壁面１ａに上記手摺ユニット２０を設けることで、以下のような作用効果が得られる。
【００３３】
即ち、上記通路３と上記エレベータ５の間を、上記乗降口１を通って人が歩行移動する場合、上記手摺ユニット２０の手摺体２１が、上記通路３側に設けられた上記通路用手摺１３の端部と上記エレベータ５のゴンドラ６内に設けられた上記前面手摺１１との略中間に位置してこれら両者間の橋渡し的な手摺として機能し得ることから、例えば、上記ゴンドラ６への乗り込み時には、人は上記通路用手摺１３から上記手摺体２１、さらに上記前面手摺１１へと順次把持位置を変えながら移動することで、上記ゴンドラ６への乗り込みを安全に行うことができ、特に高齢者の使用に際してはその効果が顕著なものとなる。
【００３４】
また、上記手摺ユニット２０が上記側壁面１ａに凹入状態で設けられているので、該手摺ユニット２０の存在によって上記乗降口１の通路幅が狭められることがなく、上記側壁面１ａを傾斜面として上記乗降口１の通行の容易化を図った効果が保持されるとともに、上記手摺ユニット２０がこれを使用しない人の邪魔になることもなく、上記乗降口１の機能が適正に維持される。
【００３５】
さらに、上記手摺ユニット２０が上記手摺体２１を水平方向に向けて取付けているので、例えば、この手摺体２１を把持して歩行する者が高齢者等で十分な把持力が得られないような場合であっても、その者は上記手摺体２１に体重を預けて歩行することができ、歩行移動時の安全性が確保される。
【００３６】
また、上記乗降口１の上記側壁面１ａを上記建屋壁１７の端面１７ａによって構成しているので、該建屋壁１７のコンクリート打設時に上記手摺ユニット２０を埋設配置することで該手摺ユニット２０を上記建屋壁１７に取付けることができ、その取付け作業が簡単であり、低コスト化が期待できる。
ＩＩ：第２の実施形態
図４〜図６には、本願発明の第２の実施形態に係る乗降口用手摺装置を構成する手摺ユニット２０を備えたエレベータ装置５を示している。このエレベータ装置５及びその周辺の基本構成は上記第１の実施形態の場合と同様であって、これと異なる点は、上記乗降口１の側壁面１ａの構成と上記手摺ユニット２０の構成である。
【００３７】
即ち、この実施形態では、第１の実施形態のように上記建屋壁１７の端面１７ａで上記乗降口１の側壁面１ａを構成するのではなく、上記建屋壁１７の端面１７ａに、断面略三角状の付設材２５を取付け、該付設材２５の傾斜面２５ａで上記乗降口１の側壁面１ａを構成している。
【００３８】
また、上記手摺ユニット２０は、第１の実施形態の場合と同様に、手摺体２１と取付基部２２で構成されるものの、該取付基部２２は縦長の長矩形とし、且つこの取付基部２２に対して上記手摺体２１を縦方向（上下方向）に向けて取付けており、この点が第１の実施形態と異なっている。
【００３９】
このような構成とすることで、以下のような作用効果が得られる。
【００４０】
上記手摺ユニット２０が上記手摺体２１を上下方向に向けた状態で取付けられていることから、該手摺体２１を使用する者は、その身長の大小に拘わらず該手摺体２１を的確に把持することができ、これによって該手摺体２１を使用しての歩行移動時の安全性が確保される。
【００４１】
また、上記乗降口１の上記側壁面１ａを、上記建屋壁１７の端面１７ａに付設される上記付設材２５によって構成したので、該付設材２５への上記手摺ユニット２０の取付けを、上記建屋壁１７の建設作業と切り離して、例えば、建屋２の建設後におけるエレベータ装置５の設置作業に合わせて行うことができる等、上記手摺ユニット２０の取付作業における作業管理が容易となる。
【００４２】
尚、上記以外の構成及び作用効果は、上記第１の実施形態と同様であるので、第１の実施形態における該当説明を援用することで、ここでの説明を省略する。
ＩＩＩ：第３の実施形態
図７には、本願発明の第３の実施形態に係る乗降口用手摺装置を構成する上記手摺ユニット２０部分の構造を示している。
【００４３】
この実施形態のものは、上記第２の実施形態とその基本構成を同じにし、これと異なる点は、上記乗降口１の側壁面１ａを構成する上記付設材２５の斜辺を湾曲面２５ａとし、この湾曲面２５ａに上記手摺ユニット２０を取付けた点である。係る構成によっても上記第２の実施形態の場合と同様の作用効果が得られるものである。
【００４４】
尚、この実施形態では、上記付設材２５を設けた構成としているが、他の実施形態では、上記第１の実施形態と同様に、上記乗降口１の側壁面１ａを上記建屋壁１７の端面１７ａで構成するものにおいて、該端面１７ａを湾曲面とし、ここに上記手摺ユニット２０を取付けることもできることは言うまでもない。
【符号の説明】
【００４５】
１    ・・乗降口
２    ・・建屋
３    ・・通路
４    ・・昇降室
５    ・・エレベータ装置
６    ・・ゴンドラ
７    ・・内室
８    ・・出入口
９    ・・内側ドア
１０  ・・外側ドア
１１  ・・前面手摺
１２  ・・側面手摺
１３  ・・通路用手摺
１７  ・・建屋壁
２０  ・・手摺ユニット
２１  ・・手摺体
２２  ・・取付基部
２５  ・・付設材
【図１】
2010265047.tif 000003
【図２】
2010265047.tif 000004
【図３】
2010265047.tif 000005
【図４】
2010265047.tif 000006
【図５】
2010265047.tif 000007
【図６】
2010265047.tif 000008
【図７】
2010265047.tif 000009